(57)【要約】      （修正有）【課題】装用時の快適性と皮膚の乾燥障害の緩和・改善効果の確かさ、さらに、装用時の良好な外観のすべての観点の要求に応え、かつ、過度に角質化した皮膚の状態の改善が期待できる繊維製品を提供する。【解決手段】主に糸によって構成され、少なくとも一部に伸縮性を有する略筒状体として編成されたものを本体１とし、該本体１は人体に装用可能とされた繊維製品であって、前記略筒状体の人体に接触する面の少なくとも一部にコーティング層２ａ、２ｂ、３が設けられており、該コーティング層２ａ、２ｂ、３は、ゴム質材料にこめ油を配合したものとする。ゴム質材料はシリコンゴムやウレタンゴムとすることが好ましい。【選択図】図６
0003180174.tif 000002
【実用新案登録請求の範囲】
【請求項１】
主に糸によって構成され、少なくとも一部に伸縮性を有する略筒状体として編成されたものを本体とし、該本体は人体に装用可能とされた繊維製品であって、
前記略筒状体の内面の少なくとも一部にコーティング層が設けられており、
該コーティング層は、ゴム質材料にこめ油を配合したものからなる
ことを特徴とする、繊維製品。
【請求項２】
前記コーティング層のデュロメータゴム硬度（タイプＡ）は、２０乃至４０の範囲である
ことを特徴とする、請求項１に記載の繊維製品。
【請求項３】
前記コーティング層のデュロメータゴム硬度（タイプＡ）は、３乃至１０の範囲である
ことを特徴とする、請求項１に記載の繊維製品。
【請求項４】
前記ゴム質材料はシリコンゴムである
ことを特徴とする、請求項１乃至請求項３のいずれか一に記載の繊維製品。
【請求項５】
前記ゴム質材料はウレタンゴムである
ことを特徴とする、請求項１乃至請求項３のいずれか一に記載の繊維製品。
【請求項６】
前記コーティング層の厚みは１００μｍ以上かつ４００μｍ以下である
ことを特徴とする、請求項１乃至請求項５のいずれか一に記載の繊維製品。
【請求項７】
前記糸には、こめ油を含むレーヨン繊維を少なくとも５重量％含んでいる
ことを特徴とする、請求項１乃至請求項６のいずれか一に記載の繊維製品。
【請求項８】
前記糸には、グリセリン誘導体を含むレーヨン繊維を少なくとも５重量％含んでいる
ことを特徴とする、請求項１乃至請求項６のいずれか一に記載の繊維製品。
【請求項９】
請求項１乃至請求項８のいずれか一に記載の繊維製品であって、該繊維製品が靴下である
ことを特徴としている靴下。
【請求項１０】
前記靴下の少なくとも踵部分に前記コーティング層が設けられており、
かつ、該コーティング層は実質的に前側と後側に分割されている
ことを特徴としている請求項９に記載の靴下。
【請求項１１】
請求項１乃至請求項８のいずれか一に記載の繊維製品であって、該繊維製品が手袋である
ことを特徴としている手袋。
【請求項１２】
請求項１乃至請求項８のいずれか一に記載の繊維製品であって、該繊維製品がサポータである
ことを特徴としているサポータ。
【請求項１３】
請求項１乃至請求項８のいずれか一に記載の繊維製品であって、該繊維製品が保温具である
ことを特徴としている保温具。
【考案の詳細な説明】
【技術分野】
【０００１】
本考案は、主に肘・膝・踵の皮膚に接触させて使用される繊維製品に関し、特に、これら部位の皮膚の乾燥や過剰な角質化した状態を緩和・改善させる目的で使用されるものに関する。より詳しくは、主に肘・膝・踵・指先の皮膚に接触させ得るように形成された繊維製品の少なくとも一部に表面加工を施したことを特徴とする衣類に関するものである。なお、ここで表面加工とは、繊維製品としての表裏を特定する意図ではなく、繊維製品の表面に対する加工を施す意図である。
【背景技術】
【０００２】
空調による乾燥や日光（特に紫外線）等の外的要因、または、個人の体質等の内的要因により皮膚に不快を訴える患者が増えている。特に、肘や膝、踵のように皮膚の角質化が進行し易い部位については、冬季の乾燥期を中心に、皮膚が粉をふいたように荒れた状態となって痒みを生じたり、あるいは、過剰に角質化した皮膚に割れを生じて鋭い痛みを生じたりすることがあり、生命に重篤な影響を与えるものではないものの、患者の苦しみは少なくない。以下、このような皮膚の不具合を便宜上、皮膚の乾燥障害という。
【０００３】
皮膚の乾燥障害を緩和・改善する方法については、従来より種々な試みがなされている。皮膚の乾燥障害の原因に応じて、サプリメントによる栄養その補給や服薬による治療が行われることもあれば、患部にクリーム状の薬剤を塗布したり、薬液剤を滴下したりする方法も行われる。これらの方法は、その効果の大きさや即効性という点では非常に優れているものの、皮膚の乾燥障害は長期間にわたって継続的な対処を必要とすることが多い症状であり、継続性においてこれらの手法は必ずしも満足できるものではない。例えば、日本国においては冬季に空気が乾燥し、皮膚の乾燥障害を生じやすい環境となるが、この状況はしばしば数ヶ月間にわたって持続する。この間、継続的に医薬品等を経口摂取する、あるいは、薬液等を滴下し続けることは、容易ではないし、また、好ましいとも言い難い。
【０００４】
そこで、上記のように直接的に薬剤等を人体に作用させる方法に対し、患者が日常的に身に着ける衣類等の繊維製品に皮膚の荒れを防止する機能を付与する方法が従来から利用されてきた。具体的には、適度な保湿を行うことで過剰に角質化した皮膚が乾燥することを防止し、皮膚が粉をふいたような状態になったり割れを発生したりすることに代表される皮膚の乾燥障害を緩和・改善しようとするものである。このようは方法は、効果の大きさや即効性という点では見劣りするものの、手間がかからずかつ長時間に渡って持続的に患部に作用できる点で優れているといえる。
【０００５】
このような繊維製品の典型例として、実用新案登録第３０４４２２６号登録実用新案公報に開示された繊維製品があげられる。これは、二重構造の布地の間に、通気性を有さない合成樹脂シートを備えたことを主要な特徴とする繊維製品であり、これを装用すると、汗のような皮膚から蒸発する水分が閉じ込められて湿度が高くなる。つまり、皮膚を蒸しているような状態を作り出すことで皮膚の乾燥を防ぎ、以て、皮膚の乾燥障害を緩和・改善しようというものである。
【０００６】
皮膚から蒸発する水分を閉じ込めることで、確かに皮膚の乾燥は防止される。しかし、二重構造の布地の間に合成樹脂シートを備える為に、繊維製品が厚くなり、また、繊維製品表面に合成樹脂シートの形状が浮き出てしまいやすい等、外観に問題が生じやすい。皮膚の乾燥障害に悩む患者は、しばしば、皮膚の乾燥障害を患っていることを他人に知られることを嫌うものであり、また、そうでなくともファッション性を損なう点で不便である。
【０００７】
通気性を有さない合成樹脂シートを使用せずに、皮膚から蒸発する水分を閉じ込めようとした繊維製品の例として、特開２００７−３０１１２５号公開特許公報に開示された繊維製品があげられる。これは、粉末状の卵殻膜をエマルジョン化した保湿性物質を配合したゴムを、繊維製品の患部に対応する部分のコーティングしたことを主要な特徴とする繊維製品である。
【０００８】
この発明によれば、皮膚から蒸発する水分を閉じ込めて皮膚の乾燥が防止されることは前記の通りである。また、繊維製品と通気性の無いゴムのコーティング膜が一体化しており、卵殻膜の適度な吸湿性によって湿度が適当な範囲に保たれ、比較的快適な装用感が得られる。もっとも、患部をすっぽりと覆う程度の範囲をコーティングしなければ、蒸発の防止効果が限定的になってしまうため、やや外観に問題を生じやすいという問題があった。
【０００９】
物理的に水蒸気を遮断することで皮膚の乾燥を防ぐ上記のアプローチとは異なる例として、特開２００７−３１４９１４号公開特許公報に開示された繊維製品があげられる。この繊維製品は、原料ビスコースに保湿効果に優れたこめ油等を含む乳化液を混和・紡糸してこめ油含有レーヨン繊維を得、これにより繊維製品を製造したものである。こめ油等の機能性成分が微細な油滴として含まれたレーヨン繊維によって製造された繊維製品を装用すると、油滴から繊維表面につながるマイクロチャネルを介して機能性成分が徐放され、患者の皮膚の表面にごく薄い油膜を形成し、強力な保湿作用を奏するのである。
【００１０】
この発明では、患者がこまめに薬剤を患部にすりこんだり滴下しなくても、繊維製品を装用している限り常に保湿性効果のある機能性成分が患部に継続的に適用される。繊維製品自体は常法にて製造されるものであり、機能性成分は繊維内に貯蔵されているのであるから、繊維製品としての風通しの良さといった優れた装用感と安定した効果が両立される。
【００１１】
上記のように繊維製品に工夫を凝らして、肘・膝・踵の乾燥を防ぎ、皮膚の乾燥障害を緩和・改善することが試みられてきたが、これらはいずれも過度に角質化した皮膚の状態そのものを改善するものでは無い。あくまでも乾燥の防止を通じて、過度に角質化した皮膚の障害が顕在化することを防止するものにすぎない。従って、このような繊維製品を使用することで皮膚の状態が良好に見えていたとしても、使用を停止すると、短期間に皮膚の乾燥障害が再発生してしまうという問題がある。
【先行技術文献】
【特許文献】
【００１２】
【特許文献１】実用新案登録第３０４４２２６号登録実用新案公報
【特許文献２】特開２００７−３０１１２５号公開特許公報
【特許文献３】特開２００７−３１４９１４号公開特許公報
【００１３】
以上説明したように、装用時の快適性と皮膚の乾燥障害の緩和・改善効果の確かさ、さらに、装用時の良好な外観のすべての観点についての要求を満足した繊維製品を実現することは容易では無く、さらなる改善品の登場が望まれていた。また、過度に角質化した皮膚の障害が顕在化することを防止するのみならず、この状態自体の改善を期待できる繊維製品の開発が望まれていた。
【考案の概要】
【考案が解決しようとする課題】
【００１４】
本考案が解決しようとする課題は、装用時の快適性と皮膚の乾燥障害の緩和・改善効果の確かさ、さらに、装用時の良好な外観のすべての観点の要求に応え、かつ、過度に角質化した皮膚の状態の改善が期待できる繊維製品を提供することである。
【課題を解決するための手段】
【００１５】
（１）本考案においては、
主に糸によって構成され、少なくとも一部に伸縮性を有する略筒状体として編成されたものを本体とし、該本体は人体に装用可能とされた繊維製品であって、
前記略筒状体の人体に接触する面の少なくとも一部にコーティング層が設けられており、
該コーティング層は、ゴム質材料にこめ油を配合したものからなる
ことを特徴とする、繊維製品としている。
【００１６】
皮膚の過度の角質化が発生し易く、皮膚の乾燥障害を起こしやすい部位は、代表的には肘や膝、踵、手指である。これらの部位で繊維製品を安定して装用可能とするには、少なくとも一部に伸縮性を有する略筒状の本体とすることが好ましい。腕や足を略筒状の本体に差し入れると、本体の有する伸縮性で患部にぴったりと密着させることができるからである。また、このような構成にすると患部以外の部位も本体で覆われることになるが、患部以外の部分の湿度を高めると蒸れてかぶれを生じるなど不快感の原因になる為、通気性が高いことが好ましい。このため、本体は主に糸を材料とする織物や布地で構成されていることが好ましい。
【００１７】
また、ゴム質材料には、こめ油を分散混合したものを使用する。こめ油は、油脂分が皮膚にごく薄い油膜となって皮膚からの水分の蒸発を防止する他、γ−オリザノールやフェルラ酸を始めとする、血流増大や角質軟化作用が認められている成分を豊富に含んでおり、油脂分の保湿作用に加えてこれら機能性成分が皮膚の乾燥障害の緩和・改善効果を奏する。
【００１８】
さらに、本願考案の考案者は、ゴム質材料にこめ油を分散混合したものをコーティングすることで顕著な効果を得ることに成功している。ゴム質材料に閉じ込められたこめ油が、繊維製品の使用中に放出されて、患者の皮膚に移行して特有の効果を奏することはすでに説明した通りであるが、これに加えて、ゴム質材料にこめ油の様な油脂を分散混合したものを繊維製品にコーティングすると、コーティング層の表面に無数の微小な凹凸、すなわち、顕著な「荒れ」を発生させることができるのである。これは、コーティング層の表面付近の微小な油滴の痕跡であったり、あるいは、コーティング層の微小領域に部分的に強度の低い部分ができること等によると想像されるが、結果としては表面が細かく毛羽立ったような「荒れ」た状態が実現される。これは、通常のコーティング層表面が、すべすべとした平滑な面となることと異なり、ざらざらとした触感を発生した状態となる。この点については、実施例の中で実際に得られる表面性状について説明する。
【００１９】
ざらつきの感じられる「荒れ」たコーティング層表面は、皮膚との摩擦が大きいため、装用者の動きによって、皮膚の上で繊維製品のコーティング層表面が動いた際に、鑢のように角質化した皮膚の表面を削り取る作用が得られる。もっとも、コーティング層は本質的に柔軟なゴム質材料で構成されているため、皮膚を過剰に削り取ってしまう懸念は無い。過剰に角質化した皮膚が、上記説明した効果によって柔らかくなり、この部分がコーティング層表面によって削り落されるのにすぎないからである。この意味では、鑢で硬い角質を削り落すのではなく、消しゴムの様なもので柔らかくなった汚れをこすり落とすイメージに近い。また、角質化していない皮膚は、しなやかで柔軟性に富む為、コーティング層表面によって削り落されることは無い。
【００２０】
このように、乾燥を防止することを通じて過度に角質化した皮膚を保湿し、皮膚の乾燥障害を緩和・改善するのみならず、保湿され、あるいは、機能性成分の角質軟化作用によって柔らかくなった、過度に角質化した皮膚を削り落すことにより、積極的に皮膚の乾燥障害を改善する作用を得られることが、本考案の最大の特徴である。
【００２１】
なお、コーティング層は、略筒状本体の内面にこめ油を配合したゴム質材料を、スクリーン印刷し、その後硬化させることで形成することができる。スクリーン印刷であれば、様々な種類の繊維製品に求められる様々なコーティング層形状に対して、スクリーンの交換のみで対応可能であり、また、コーティング層の厚みの変更にも比較的容易に対応ができるからである。もちろん、コーティング層の形成方法はこれに限られず、任意の常法を使用できることは言うまでも無い。
【００２２】
ところで、コーティング層に配合するこめ油の量は、ゴム質材料に対して、０．５重量％乃至５重量％の範囲であることが好ましい。あまりにコーティング層に含まれるこめ油の量が少ないと、こめ油特有の機能性成分の効果が十分に得られなくなってしまうし、逆にあまりにこめ油の量が多いと、逆にコーティング層に含まれるこめ油の量が多すぎると、コーティング層の強度が低下して繊維製品から剥がれ落ちるリスクが高まってしまうためである。
【００２３】
また、さらに好ましくは、コーティング層に配合するこめ油の量は、ゴム質材料に対して、１重量％乃至３重量％の範囲であることが好ましい。これは、より確実な効果が得られ、かつ、コーティング層に十分な余裕を持った強度が得られるためである。
【００２４】
（２）本考案においては、
前記コーティング層のデュロメータゴム硬度（タイプＡ）は、２０乃至４０の範囲である
ことを特徴とする、（１）に記載の繊維製品としている。
【００２５】
前記コーティング層の硬度が高すぎると、繊維製品の一部が硬くなり、これを装用した装用者に強い違和感を感じさせてしまう。また、硬いコーティング層に常時密着することで皮膚が過剰に削られて皮膚障害を生じてしまうような事態を招きかねない。逆に、コーティング層が柔らかいと皮膚の角質化した皮膚を削り落とす効果が小さくなる。そこで、コーティング層のデュロメータゴム硬度（タイプＡ）を、２０乃至４０の範囲となるようにすると、角質化した皮膚を効果的に削り落としつつ、皮膚障害は発生させないという状態を実現できる。なお、デュロメータゴム硬度（タイプＡ）はＪＩＳ  Ｋ６２５３に準拠して測定した場合の値であり、以下も同様である。
【００２６】
また、デュロメータゴム硬度（タイプＡ）を２５乃至３５の範囲となるようにすることがより好ましい。角質化した皮膚を削り落とす効果がより大きく、かつ、装用者がより違和感を感じにくいという効果が得られるからである。
【００２７】
（３）本考案においては、
前記コーティング層のデュロメータゴム硬度（タイプＡ）は、３乃至１０の範囲である
ことを特徴とする、（１）に記載の繊維製品としている。
【００２８】
本考案の考案者は、コーティング層の硬度を非常に低く設定する、つまり、非常にやわらかくした場合にも、優れた繊維製品を得られることを見出した。すなわち、コーティング層のデュロメータゴム硬度を３乃至１０の範囲とすると、コーティング層は極めて柔軟であるので装用直後には角質化した皮膚を削り落とす効果はあまり大きくない。一方、装用感は極めて良好であり、装用者はコーティング層が繊維製品に設けられていることにほとんど気づけないくらいである。つまり、長時間にわたって繊維製品を装用していても全く不快感が無いため、長時間にわたる装用が可能である。
【００２９】
本考案に係る繊維製品を長時間装用していると、コーティング層部分の強い保湿効果により、角質化した皮膚が徐々に水分を含んで柔らかくなる。この結果、短時間では角質化した皮膚を削り落とす効果はあまり大きくないものの、長時間の装用によってこれをこすり落とす効果が得られることになる。
【００３０】
より好ましくは、コーティング層のデュロメータゴム硬度を６以下にするとよい。この範囲であれば、本考案に係る繊維製品の装用感は実質的にコーティング層を設けない一般の繊維製品と同等の良好なものとなるからである。
【００３１】
（４）本考案においては、
前記ゴム質材料はシリコンゴムである
ことを特徴とする、（１）〜（３）のいずれか一に記載の繊維製品としている。
【００３２】
すでに説明した通り、ゴム質材料は人体に直接接触して使用されることになるので、人体に対して特に安全性が求められる。同時に、ゴム質材料で形成されるコーティング層が本考案の効果を得るために最も重要な構成要素であり、最適な硬度のものを形成できる必要があるほか、耐久性も求められる。この点、シリコンゴムは、医療用に使用されるほど人体に対して安全なグレードが利用可能であり、さまざまな硬度のものも入手可能かつ、耐久性もきわめてすぐれている。
【００３３】
従って、本考案のゴム質材料として、シリコンゴムを使用することが好ましい。ここで、シリコンゴムとは、シリコン樹脂とシリカ等を混合したシリコンコンパウンドをも含む概念であり、目的の硬度が得られ、かつ、繊維製品にスクリーン印刷などの手法でコーティング層を形成できるものを選択すればよい。
【００３４】
（５）本考案においては、
前記ゴム質材料はウレタンゴムである
ことを特徴とする、（１）〜（３）のいずれか一に記載の繊維製品としている。
【００３５】
ウレタンゴムは耐摩耗性に優れ、様々な硬度のものが入手可能であると共に、日用品などに広く使用される人体に対して安全なグレードが利用可能である。また、安価に流通しており、より低いコストで本考案に係る繊維製品を製造可能である。従って、本考案のゴム質材料として、ウレタンゴムを使用することが好ましい。
【００３６】
（６）本考案においては、
前記コーティング層の厚みは１００μｍ以上かつ４００μｍ以下である
ことを特徴とする、（１）〜（５）のいずれか一に記載の繊維製品としている。
【００３７】
コーティング層の厚みは、あまりにも厚くすると装用者が凸凹を感じることになり、繊維製品としての装用感を悪化させてしまう。また、繊維製品を装用した際に外部からコーティング層が設けられている部分が盛り上がって見えてしまい、外観上も好ましくない。逆に、あまりに薄くすると、表面が平滑では無い織物や布地で構成される本体内面に設けた際に、かすれや途切れが発生したり、または、外観上、コーティング層にムラがあるように見えてしまいやすい。
【００３８】
実は、コーティング層を形成するゴム質材料に配合したこめ油の働きにより、コーティング層に多少のかすれや途切れがあった場合でも、患部の皮膚に移行したこめ油によってつくられる薄い油膜の働きで十分な乾燥防止作用は得られる。また、コーティング層表面の摩擦によって、角質化した皮膚の表面を削り取る作用についても、通常は、装用者の動きによって、皮膚の上で繊維製品のコーティング層表面が動く量がかすれや途切れの大きさよりも遥かに大きくなる為、その作用にはほとんど差異が生じない。しかし、やはり、コーティング層のかすれや途切れは、外観上は消費者から品質不良であると見做されてしまい易いものであり、明らかに好ましくないものである。
【００３９】
そこで、コーティング層の厚みは、１００μｍ以上かつ４００μｍ以下に設定すると良い。この範囲とすれば、適切な硬度のコーティング層を形成した際に良好な品質のものを形成できると共に、十分に薄い為、装用時の外観に悪影響を与えることも無い。より好ましくは、コーティング層の厚みをほぼ２００μｍ以上かつ３００μｍ以下とすると良い。製品の歩留まりをより高くすることができると共に、良好な装用感を得られるからである。
【００４０】
（７）本考案においては、
前記糸には、こめ油を含むレーヨン繊維を少なくとも５重量％含んでいる
ことを特徴とする、（１）〜（６）のいずれか一に記載の繊維製品としている。
【００４１】
こめ油を含むレーヨン繊維とは、例えば、特開２００７−３１４９１４号公開特許公報に開示された繊維であり、原料ビスコースに保湿効果に優れたこめ油等を含む乳化液を混和・紡糸してこめ油を含有したレーヨン繊維を得たものであり、これで製造した繊維製品を装用すると、繊維に含まれるこめ油が徐放されて皮膚表面に薄い油膜が形成され、乾燥の防止が図られるというものである。本体を形成する糸にこめ油を含むレーヨン繊維を用いることで、乾燥の防止作用を、コーティング層だけでは無く、繊維製品の本体全体で得ることができる。
【００４２】
もちろん、コーティング層を形成した部分は、物理的に水蒸気を遮断することで強力な乾燥防止作用が得られている。その作用は、こめ油を含むレーヨン繊維を使用したとはいえ、基本的には風通しの良い非コーティング層部分よりも強力である。しかし、物理的に水蒸気を遮断する領域があまりに広いと、患者が蒸れを感じたりかぶれなどの原因となったりして、装用感が低下してしまう。しかし、肘、膝、踵・指先に代表される、皮膚の乾燥障害を特に生じやすい部位の周りも、程度の差こそあれ、同様の障害を生じやすいものであり、一定の乾燥防止作用が得られることが好ましい。
【００４３】
そこで、過度に皮膚の角質化が進みやすい部位については、コーティング層を設けて強力な乾燥防止作用を得ると共に、角質表面を削り落す作用をも実現する。そして、周辺の部位については、こめ油を含むレーヨン繊維による乾燥防止作用のみが発揮されるような繊維製品とすることが好ましいのである。このようにすることで、必要十分な乾燥防止効果と、良好な装用感が両立可能になる。
【００４４】
なお、こめ油を含むレーヨン繊維の作用は比較的強力であるので、繊維製品を形成する糸のうち、ごく一部に使用するのみで十分な効果が得られる。具体的には、綿糸のような一般糸に、こめ油を含むレーヨン繊維を５重量％以上混ぜることで十分な効果が得られる。こめ油を含むレーヨン繊維は、綿糸のような一般糸と比較すると高価な材料であるが、このようにすることで、必要な効果を確保しつつ、安価に繊維製品を提供することが可能となる。
【００４５】
（８）本考案においては、
前記糸には、グリセリン誘導体を含むレーヨン繊維を少なくとも５重量％含んでいる
ことを特徴とする、（１）〜（６）のいずれか一に記載の繊維製品としている。
【００４６】
こめ油を含むレーヨン繊維を含む原料糸で本体を形成することで、肘、膝、踵といったもっとも過度に皮膚の角質化が進みやすい部位の周辺領域についても適度な乾燥防止作用が得られることはすでに説明した通りであるが、本考案の考案者は、これと類似の効果が得られる機能性繊維を提案しており、これを用いてもほぼ同じ効果を得ることができる。具体的には、こめ油に代えて、グリセリン誘導体を含むレーヨン繊維としたものであり、詳細は特願２０１１−１６９６８９号の明細書に記載されているものである。
【００４７】
グリセリン誘導体を含むレーヨン繊維によって得られる効果は、こめ油を含むレーヨン繊維の場合と実質的に同じである。しかし、天然素材であるこめ油と比較して、グリセリン誘導体は工業的に得られるものであるから、品質の極めて安定したものを大量に入手可能であり、品質も安定していて、しかも、大量生産時にはこめ油よりも安価であるという特徴がある。従って、安定した品質の繊維製品を大量にかつ安価に供給可能になるという効果が得られる。
【００４８】
（９）本考案においては、
（１）〜（８）のいずれか一に記載の繊維製品であって、該繊維製品が靴下である
ことを特徴としている靴下としている。
【００４９】
人体の中で、もっとも過度に皮膚の角質化が進みやすい部位は踵である。また、つま先や、足指の付け根（種子骨の下部や、中節骨と中足骨の関節の下部等）も、皮膚の角質化が進みやすい部位である。足のこのような部位は、皮膚は厚くなりやすく、鋭い痛みを伴う割れを生じるなど、皮膚の乾燥障害が特に問題になりやすい。そこで、本考案に係る繊維製品を靴下として、踵やつま先、足指の付け根に対応する部分にコーティング層を設けることで、過度に皮膚の角質化が進んだ踵の皮膚の乾燥を防ぎ、かつ、この表面を徐々に削り落すことで皮膚の乾燥障害を根本的に改善させることが期待される。
【００５０】
また、皮膚の荒れ以外にも、足にトラブルを抱える患者は少なくない。例えば、踵付近や種子骨付近の痛み等が典型的であるが、本考案に係る靴下では、これら部位に対応する位置に厚めのコーティング層を設けることで、歩行時の衝撃に対するクッション作用を得ることも可能である。このように、皮膚の乾燥障害に加えて、異なるトラブルの緩和を図ることができることも、本考案に係る靴下の利点である。
【００５１】
（１０）本考案においては、
前記靴下の少なくとも踵部分に前記コーティング層が設けられており、
かつ、該コーティング層は実質的に前側と後側に分割されている
ことを特徴としている（９）に記載の靴下としている。
【００５２】
すでに説明したとおり、靴下の踵部分、すなわち、踵の底面や、踵の後部または側面に接触する部分にコーティング層を設けることで、この部分の皮膚の乾燥障害を改善する効果が得られるのだが、これらの皮膚の部位は立体的であり、特に踵の底面と踵の後部や側面とはほぼ直角となる。この部分は足の指やその付け根に対応する部分であり、最もよく変形する足の部位である。一方、靴下のコーティング層を設けた部分は、コーティング層を設けていない部分よりは多少なりとも腰が強くなる。このため、コーティング層が踵を包み込むように密着することは困難であり、コーティング層部分が皮膚表面から浮き上がったりしやすくなる。これでは、本考案に特有の皮膚の乾燥障害の改善効果が十分に得られなくなってしまいかねない。また、これが原因で、患者の歩行に伴ってコーティング層部分の位置がずれたりしやすくなってしまうという不都合も生じる。
【００５３】
そこで、靴下の踵部分のコーティング層を、前側と後側、すなわち、つま先により近い側とこれとは逆側に分割して形成すると、これら部分の境目で靴下の布地が柔軟に折れ曲がり、患者の踵からコーティング層部分が浮き上がったりすることなく密着状態を維持することができる。これにより、本考案に係る靴下の皮膚の乾燥障害の改善効果をますます顕著とすることができる。
【００５４】
なお、コーティング層が実質的に前側と後側に分割されている、とは、前側のコーティング層と後側のコーティング層が全くつながっていないことを要するという意図ではない。前記の通り、踵部分のコーティング層が患者の踵の立体的な形状に柔軟に追随できるために、折れ曲がりやすい部位を踵部のコーティング層に形成することが目的であるから、部分的にこれらコーティング層がつながっている箇所があっても、大部分の領域が分割されていればよい。
【００５５】
また、前側と後側のコーティング層は、１ｍｍ程度の間隔で分割されていることが好ましい。あまりに間隔が広いと、皮膚の乾燥障害を改善する効果の無い領域の影響が懸念されるからである。また、より好ましくは、前側と後側のコーティング層を０．５ｍｍ程度の間隔で分割するとよい。十分にせまい間隔でありつつ、コーティング層の形成時に意図せず前側と後側のコーティング層がつながってしまうようなトラブルも頻発しない、バランスの良い間隔だからである。
【００５６】
（１１）本考案においては、
（１）〜（８）のいずれか一に記載の繊維製品であって、該繊維製品が手袋である
ことを特徴としている手袋としている。
【００５７】
過度の皮膚の角質化に起因する問題は、手指にも発生し、例えば、指先の皮膚が過度に角質化すると、やはり鋭い痛みを伴う割れを生じるなど、皮膚の乾燥障害が顕在化する。そこで、本考案に係る繊維製品を手袋として、指先部分にコーティング層を設けることで、指先の皮膚の乾燥を防ぎ、かつ、この表面を徐々に削り落すことで皮膚の乾燥障害を根本的に改善させることが期待される。
【００５８】
また、本考案では薄く柔らかいコーティング層を形成することが特徴の一つであるから、手袋の手指の部分にコーティング層が設けられても、患者が手指を使用する際の作業性の低下が最小となるという効果もある。なお、必要に応じて指先以外の部分にコーティング層を設けることは可能であることは言うまでも無い。
【００５９】
（１２）本考案においては、
（１）〜（８）のいずれか一に記載の繊維製品であって、該繊維製品がサポータである
ことを特徴としているサポータとしている。
【００６０】
踵ほどではないが、肘や膝も過度の皮膚の角質化に起因する問題が顕在化し易い個所である。このような個所に対しては、本考案に係る繊維製品を略筒状のサポータとして、肘や膝に対応する領域にコーティング層を設けると良い。その効果は、踵の場合と同様であるが、肘や膝は、その部位の特性上、外出時などに人目に付き易い部分である。しかし、本考案では、コーティング層は薄く柔軟であるので、外部から見てサポータに特別な加工が施されたものであることは殆ど分からない。つまり、ファッション性に与える影響が最小限となることは本考案によって得られる大きな利益である。
【００６１】
（１３）本考案においては、
（１）〜（８）のいずれか一に記載の繊維製品であって、該繊維製品が保温具である
ことを特徴としている保温具としている。
【００６２】
日本国において皮膚の乾燥障害が発生しやすい季節は、気温が低く乾燥している冬季である。冬季には、保温のために様々な保温具が使用され、典型的には、レッグウォーマー、アームウォーマー、ネックウォーマー等を挙げることができる。これら保温具を装用した際に、保温効果のみならず、保湿効果も得られれば、皮膚の乾燥障害を改善するうえで非常に有用である。そこで、本考案に係る繊維製品を保温具とすることで、保温効果と保湿効果を得、また、角質化した皮膚を削り落とす効果をも得るとよい。
【考案の効果】
【００６３】
（１）伸縮性を有する略筒状体として編成された本体内面の一部に、ゴム質材料にこめ油を配合したものからなるコーティング層を設けた繊維製品としたので、患部にコーティング層をぴったりと密着させ、確実に乾燥の防止や血流増大・角質軟化作用を発揮し、皮膚の乾燥障害の緩和・改善効果を奏することができる。また、強い摩擦を持つコーティング層の表面が皮膚の上で動くことにより、過度に角質化した皮膚の表面を削り取る作用が得られ、積極的に皮膚の乾燥障害を改善する作用を得られる。
【００６４】
（２）コーティング層のデュロメータゴム硬度（タイプＡ）を２０乃至４０の範囲としたので、角質化した皮膚を効果的に削り落とす効果を十分に有しながら、皮膚障害は発生させないという状態を実現できる。
【００６５】
（３）コーティング層のデュロメータゴム硬度（タイプＡ）を３乃至１０の範囲としたので、装用者がコーティング層が繊維製品に設けられていることにほとんど気づけないほどの良好な装用感を得られる。また、これにより、長時間にわたる装用が可能になるため、角質化した皮膚が長時間かけて水分を含んで柔らかくなり、これがこすり落とされるという効果を得ることができる。
【００６６】
（４）ゴム質材料をシリコンゴムとしたので、人体に安全かつ適切な硬度のコーティング層を形成することができるほか、耐久性も良好な繊維製品とすることができる。
【００６７】
（５）ゴム質材料をウレタンゴムとしたので、（４）にほぼ等しい効果をより低いコストで実現することができる。
【００６８】
（６）コーティング層の厚みを１００μｍ以上かつ４００μｍ以下としたので、繊維製品としての外観が良好でありつつ良好な装用感を実現することができる。また、装用時の外観にも悪影響を与えることも殆ど無く、ファッション性への影響を最小とすることができる。
【００６９】
（７）こめ油を含むレーヨン繊維を少なくとも５重量％含んでいる糸によって本体を形成したので、コーティング層を形成していない部分にも乾燥の防止効果が得られる。これにより、過度の皮膚の角質化が進行している部位はコーティング層による強力な乾燥防止効果と角質表面の削り落し効果があり、それ以外の部位は適度な乾燥防止効果を有する繊維製品とすることができ、装用感と効果を両立することができる。
【００７０】
（８）グリセリン誘導体を含むレーヨン繊維を少なくとも５重量％含んでいる糸によって本体を形成したので、（７）にほぼ等しい効果をより低いコストで実現することができる。
【００７１】
（９）本繊維製品を靴下としたので、人体でもっとも過度に皮膚の角質化が進みやすい踵部分、及び、つま先や足指の付け根部分の皮膚の乾燥を防ぎ、かつ、この表面を徐々に削り落すことで皮膚の乾燥障害を根本的に改善させることが期待される。また、コーティング層のクッション性により、歩行時の衝撃を吸収し、中足骨や踵の痛み等のトラブルの緩和をも期待できる。
【００７２】
（１０）靴下の踵部分にコーティング層を設け、これを実質的に前側と後側に分割される構成としたので、分割部分で靴下の布地が無理なく折れ曲がり、装用者の踵底面や踵後部及び側面をコーティング層が包み込むように隙間なく密着し、（９）に記載の効果をますます顕著とすることができる。また、コーティング層が装用者の踵底面や踵後部及び側面に浮き上がらずに密着することから、歩行時などにもずれを生じにくくなるという効果も得られる。
【００７３】
（１１）本繊維製品を手袋としたので、指先など過度に皮膚の角質化が進みやすい部位について（９）にほぼ等しい効果を実現することができる。また、薄く柔らかいコーティング層を形成するため、手袋の手指の部分にコーティング層が設けられても、患者が手指を使用する際の作業性の低下が最小となる。
【００７４】
（１２）本繊維製品をサポータとしたので、肘や膝などに対して（９）にほぼ等しい効果を実現することができる。また、コーティング層は薄く柔軟であるので、ファッション性に与える影響が最小限となる。
【００７５】
（１３）本繊維製品を保温具としたので、気温・湿度が低く、皮膚が乾燥しやすい冬季に皮膚の温度・湿度を高く保つことができ、（９）と同様の効果がますます顕著となる。
【考案を実施するための形態】
【００７６】
以下、本考案の一実施例について、図面を用いて説明する。
【実施例１】
【００７７】
図１及び図６は、本考案に係る繊維製品の一例である靴下についての説明図である。図１は装用時の様子を示しており、図６は靴下を裏返して平らな平面上に配した様子を示している。また、図１中、ハッチングが施された（２）及び（３）部は、靴下本体の表面にコーティング層が設けられていることを示すが、実際には靴下の外面ではなく、内面に設けられているのだが、図ではコーティング層が設けられている位置を明瞭に示すために図１のような表示としていることに注意が必要である。
【００７８】
図１に表示される本考案に係る靴下は、グリセリン誘導体を含んでいるレーヨン繊維を３０％と綿糸７０％を混紡して得た紡績糸を用いて靴下本体（１）を定法にて製造した。ここに、グリセリン誘導体を含んでいるレーヨン繊維とは、原料ビスコース中に、グリセリン誘導体として、リシノール酸モノグリセリド５重量％と１０％水酸化ナトリウム溶液２．５重量％と乳化剤１５重量％を含む乳化液をインジェクションを用いてミキサーにて連続混合し、直径６０μｍの紡糸口金から引出し、以下、一般的なレーヨンの製造法によって、カット、捲縮、精錬、乾燥して直径１５μｍ〜２０μｍ程度のレーヨン繊維を得たものである。
【００７９】
グリセリン誘導体を含んでいるレーヨン繊維が混紡された紡績糸で靴下本体（１）が作られているため、装用者の皮膚を適度に保湿する作用が得られ、本考案に係る靴下が接触する皮膚全体の皮膚の乾燥障害を穏やかに改善する効果が期待できる。ただし、あくまでも糸を織った織物であるから、通気性も優れている。従って、踵やつま先部分ほどには皮膚の過度の角質化などの深刻な皮膚の乾燥障害はないものの、皮膚表面が少し粉をふいたように見えるといった程度の比較的軽度の皮膚の乾燥障害を緩和するというイメージの作用である。
【００８０】
靴下本体（１）には、図１に示すように踵部分コーティング層（２）とつま先部分につま先部分コーティング層（３）を設けている。図１では、靴下本体（１）の外面にコーティング層を設けているように見えるが、これはコーティング層の位置を明瞭に表示する作図の都合でこのような表示としているもので、実際には、コーティング層は靴下本体（１）の内面、つまり、装用時に人体の皮膚に接触する側の面に設けられる。
【００８１】
図６を用いて、さらに本実施例について詳細に説明する。図６は靴下本体（１）を裏返して、つまり、装用時に人体の皮膚に接触する側の面が外側になるようにして平らな平面上に配した様子を示している。靴下本体（１）を装用した際に、踵に対応する位置には踵部分コーティング層（２）が設けられている。コーティング層の形成は、シリコンコンパウンドにこめ油を３重量％添加して、靴下本体（１）の表面にスクリーン印刷によって２００μｍの厚みの踵部分コーティング層（２）を形成した。この際、コーティング層を形成したシリコンゴムのデュロメータゴム硬度（タイプＡ）は２８であった。
【００８２】
踵部分コーティング層（２）と同時に、靴下本体（１）のつま先側にもコーティング層を形成した。また、踵部分のコーティング層（２）は、前側コーティング層（２ａ）と後踵側コーティング層（２ｂ）がスリット部（４）で分割されるように形成した。
【００８３】
本考案が効果を奏するメカニズムの理解を助ける為、踵部分コーティング層（２）やつま先部分コーティング層（３）の表面の電子顕微鏡拡大写真を図２及び図３に示す。これら電子顕微鏡拡大写真より、通常は平滑な表面が得られるシリコンゴムの表面に多数の凹凸が見られ、また、微細な穴構造が形成されていることが分かる。これは、シリコンコンパウンドにこめ油を添加したことで、微細な油滴が分散した状態で印刷・硬化されたために、シリコンコンパウンドは硬化収縮一方で、分散した油滴はその体積を維持するといったメカニズムで生じるものと想像される。ここで重要な点は、シリコンゴム中にこめ油の油滴が分散しており、これが表面に開口した穴や、或いは、本考案に係る靴下の装用時にコーティング層を形成するシリコンゴムに発生した亀裂などから徐放され、装用者の皮膚表面に移行する点である。これにより、皮膚表面に常に微量の油膜が形成されると共に、こめ油の含む機能性成分の働きで、皮膚の乾燥障害の改善が見込まれるのである。
【００８４】
次に、こめ油を添加しないで形成したコーティング層の断面の電子顕微鏡拡大写真を図４に、本考案に係るこめ油を添加して形成したコーティング層の断面の電子顕微鏡拡大写真を図５に示す。なお、図５では、観察領域内に靴下本体を形成する繊維の断面が存在しているが、ここではコーティング層の表面性状に注目されたい。こめ油を添加しないで形成したコーティング層の表面は、非常になめらかである。一方、こめ油を添加して形成したコーティング層の表面は細かい凹凸が多数形成されている。このように、本考案に係る靴下のコーティング層の表面には細かい凹凸が多数形成され、ざらざら感がある「荒れた」状態である。この為、装用者の皮膚との摩擦が大きく、角質化した皮膚を削り落とす効果に優れる。過度に角質化した皮膚を物理的に削り落とすのであるから、その作用は非常に強力である。
【００８５】
また、踵部分のスリット部（４）については、本実施例では幅を約０．５ｍｍとしているが、この幅は事実上任意である。スリット部（４）を設けることで、前側コーティング層（２ａ）と後側コーティング層（２ｂ）が分割されるので、本考案に係る靴下の踵部分がスリット部（４）で容易に折れ曲がることができる。コーティング層が設けられている部分はどうしても他の部分と比較すると腰が強く、曲がりにくくなり、踵全体を立体的に包み込むような形状には変形しがたく、踵底面や踵後部及び踵側面の皮膚から浮き上がったりしてしまいやすいのであるが、スリット部（４）によって容易に折れ曲がるようになり、常に装用者の皮膚と密着した状態が保たれるようになるのである。
【００８６】
ところで、上記実施例では、コーティング層を形成したシリコンゴムのデュロメータゴム硬度（タイプＡ）は２８であったが、これに代えて、デュロメータゴム硬度（タイプＡ）を５としたものも製造した。これ以外の部分については、上記実施例と同様である。
【００８７】
このように非常にやわらかいコーティング層とすると、コーティング層の異物感はほとんど感じられなくなり、非常に装用感の良好な靴下が得られた。一方で、コーティング層が非常にやわらかい為に、この部分での角質化した皮膚を削り落とす効果が少なくなる。ところが、装用感に優れる為に長時間装用することが可能であり、そうすると、コーティング層の保湿作用で過度に角質化した皮膚が徐々に水分を含んで柔らかくなり、結局は徐々に消しゴムでこすり落とすように角質化した皮膚が除去されることが分かった。従って、本考案は、極端にやわらかいコーティング層を備えた態様で実施することも可能である。
【００８８】
また、本考案に特有の作用効果は、靴下に限らず、手袋や肘・膝のサポータ等においても得られることは言うまでもない。さらに、レッグウォーマー、アームウォーマー、ネックウォーマーのような保温具にも適用できることも明らかである。
【産業上の利用可能性】
【００８９】
以上のように、本考案は装用時の快適性や装用時の良好な外観を実現しつつ、皮膚の乾燥の防止や角質化した皮膚表面の削り落す作用を通じた皮膚の乾燥障害の緩和・改善を実現可能である繊維製品を提供することができる、極めて有用な考案であり、産業上の利用価値は極めて高い。
【図面の簡単な説明】
【００９０】
【図１】本考案の一実施例である靴下を示した説明図である。
【図２】本考案の一実施例である繊維製品のコーティング部の表面の電子顕微鏡拡大写真である。
【図３】本考案に係る繊維製品のコーティング部の表面の電子顕微鏡拡大写真である。
【図４】従来技術に係る繊維製品のコーティング部の断面の電子顕微鏡拡大写真である。
【図５】本考案に係る繊維製品のコーティング部の断面の電子顕微鏡拡大写真である。
【図６】本考案の一実施例である靴下を示した説明図である。
【符号の説明】
【００９１】
１              靴下本体
２              踵部分コーティング層
２ａ            踵部分前部コーティング層
２ｂ            踵部分後部コーティング層
３              つま先部分コーティング層
４              スリット部
【図１】
0003180174.tif 000003
【図６】
0003180174.tif 000004
【図２】
0003180174.tif 000005
【図３】
0003180174.tif 000006
【図４】
0003180174.tif 000007
【図５】
0003180174.tif 000008